(57)【要約】【課題】光空間通信環境において端末ユーザが自分の位置を把握することのできる、新しい情報支援システムを提供する。【解決手段】インテリジェントユーザ端末（１）と複数の情報送信装置（２）との間で光空間通信を行う情報支援システムにおいて、インテリジェントユーザ端末（１）を、情報送信装置（２）からの音声情報光を受光して電気信号に変換する音声用光電変換手段（１１）と、得られた電気信号を音声出力する音声出力手段（１２）と、情報送信装置（２）からのＩＤ情報光を受光して電気信号に変換するＩＤ用光電変換手段（１３）と、得られた電気信号に基づいて各情報送信装置（２）固有のＩＤ情報を解析するＩＤ解析手段（１４）とを有するものとし、情報送信装置（２）を、音声情報を基に強度変調した音声情報光を発信する音声発信手段（２１）と、各情報送信装置（２）固有のＩＤ情報を基に変調したＩＤ情報光を発信するＩＤ発信手段（２２）とを有するものとする。【選択図】  図１
2004221946.tif 000002
【特許請求の範囲】
【請求項１】
インテリジェントユーザ端末と環境側に設置される複数の情報送信装置との間で光空間通信を行う情報支援システムであって、
インテリジェントユーザ端末は、情報送信装置から発信された音声情報光を受光して電気信号に変換する音声用光電変換手段と、音声用光電変換手段により変換された電気信号を音声出力する音声出力手段と、情報送信装置から発信されたＩＤ情報光を受光して電気信号に変換するＩＤ用光電変換手段と、ＩＤ用光電変換手段により変換された電気信号に基づいて各情報送信装置固有のＩＤ情報を解析するＩＤ解析手段とを有し、
情報送信装置は、音声情報を基に強度変調した音声情報光を発信する音声発信手段と、各情報送信装置固有のＩＤ情報を基に変調したＩＤ情報光を発信するＩＤ発信手段とを有している、
ことを特徴とする情報支援システム。
【請求項２】
ノーマルユーザ端末およびインテリジェントユーザ端末と環境側に設置される複数の情報送信装置との間で光空間通信を行う情報支援システムであって、
ノーマルユーザ端末は、情報送信装置から発信された音声情報光を受光して電気信号に変換する音声用光電変換手段と、音声用光電変換手段により変換された電気信号を音声出力する音声出力手段とを有し、
インテリジェントユーザ端末は、情報送信装置から発信された音声情報光を受光して電気信号に変換する音声用光電変換手段と、音声用光電変換手段により変換された電気信号を音声出力する音声出力手段と、情報送信装置から発信されたＩＤ情報光を受光して電気信号に変換するＩＤ用光電変換手段と、ＩＤ用光電変換手段により変換された電気信号に基づいて各情報送信装置固有のＩＤ情報を解析するＩＤ解析手段とを有し、
情報送信装置は、音声情報を基に強度変調した音声情報光を発信する音声発信手段と、各情報送信装置固有のＩＤ情報を基に変調したＩＤ情報光を発信するＩＤ発信手段とを有している、
ことを特徴とする情報支援システム。
【請求項３】
各情報送信装置固有のＩＤ情報は、各情報送信装置に予め設定された装置番号であることを特徴とする請求項１または２記載の情報支援システム。
【請求項４】
情報送信装置のＩＤ発信手段は、インテリジェントユーザ端末の音声出力手段が音声出力可能な帯域以外の帯域でＩＤ情報光を発信することを特徴とする請求項１または２記載の情報支援システム。
【請求項５】
インテリジェントユーザ端末と環境側に設置される複数の情報送信装置との間で光空間通信を行う情報支援システムであって、
インテリジェントユーザ端末は、情報送信装置から発信された音声情報光を受光して電気信号に変換する音声用光電変換手段と、音声用光電変換手段により変換された電気信号を音声出力する音声出力手段と、音声用光電変換手段により変換された電気信号の周波数分布を解析する周波数分布解析手段と、周波数分布解析手段により得られた周波数分布と一致する周波数分布を有する情報送信装置のＩＤ情報を、各情報送信装置固有のＩＤ情報と各情報送信装置固有の周波数分布とを対応付けて記憶したＩＤデータベースから検索するＩＤ情報検索手段とを有し、
情報送信装置は、音声情報を基に強度変調した音声情報光を発信する音声発信手段を有している、
ことを特徴とする情報支援システム。
【請求項６】
ノーマルユーザ端末およびインテリジェントユーザ端末と環境側に設置される複数の情報送信装置との間で光空間通信を行う情報支援システムであって、
ノーマルユーザ端末は、情報送信装置から発信された音声情報光を受光して電気信号に変換する音声用光電変換手段と、音声用光電変換手段により変換された電気信号を音声出力する音声出力手段とを有し、
インテリジェントユーザ端末は、情報送信装置から発信された音声情報光を受光して電気信号に変換する音声用光電変換手段と、音声用光電変換手段により変換された電気信号を音声出力する音声出力手段と、音声用光電変換手段により変換された電気信号の周波数分布を解析する周波数分布解析手段と、周波数分布解析手段により得られた周波数分布と一致する周波数分布を有する情報送信装置のＩＤ情報を、各情報送信装置固有のＩＤ情報と各情報送信装置固有の周波数分布とを対応付けて記憶したＩＤデータベースから検索するＩＤ情報検索手段とを有し、
情報送信装置は、音声情報を基に強度変調した音声情報光を発信する音声発信手段を有している、
ことを特徴とする情報支援システム。
【請求項７】
インテリジェントユーザ端末は、各情報送信装置固有のＩＤ情報と各情報送信装置固有の周波数分布とを対応付けて記憶したＩＤデータベースを環境側から受信するＩＤデータベース受信手段と、受信したＩＤデータベースを記憶するＩＤデータベース記憶手段とをさらに有していることを特徴とする請求項５または６記載の情報支援システム。
【発明の詳細な説明】
【０００１】
【発明の属する技術分野】
この出願の発明は、情報支援システムに関するものである。さらに詳しくは、この出願の発明は、光空間通信環境において端末ユーザ自身が自分の位置を把握することのできる、新しい情報支援システムに関するものである。
【０００２】
【従来の技術】
近年、「いつでも、どこでも、だれでも」情報にアクセスできるユビキタスな情報環境の実現が盛んに提唱されており、これにおいてこの出願の発明の発明者等は、環境側から提供される膨大な情報のなかで「いま、ここで、私が」欲しい情報をユーザが簡便に取得可能ならしめるべく、環境側に任意に設置された情報送信装置からの音声情報をユーザがユーザ端末を適切な位置で適切な方向に向けるだけで取得できるようにした情報支援システムを既に提案している（たとえば非特許文献１〜３参照および特許文献１参照）。
【０００３】
この情報支援システムについてさらに説明すると、たとえば図９に示したように、ユーザが携帯または装着するユーザ端末（１００）を、情報送信装置（２００）から発信された光信号を受光して電気信号に変換する太陽電池等の光電変換手段（１０１）と、光電変換手段（１０１）により変換された電気信号を音声出力するイヤホンやヘッドホン等の音声出力手段（１０２）とを備えたものとし、環境側に設置される情報送信装置（２００）を、発信すべき音声情報を基に強度変調した光信号を発信する音声発信手段（２０１）を備えたものとしており、これによって、ユーザが自分のユーザ端末（１００）を情報送信装置（２００）の信号送出領域内にてその方向に向けるだけで必要な音声情報を自由に取得し聞くことができるという、ユビキタスな情報支援を実現している。ユーザ端末（１００）については、光電変換手段（１０１）により得られる電気信号で音声出力手段（１０２）を駆動し、当該電気信号をそのまま再生出力しており、このとき音声出力手段（１０２）の駆動に利用しているのは音声情報信号を割り当てた交流成分であり、光電変換手段（１０１）で同時に発生される直流成分は利用していないため、交流成分のみにより無電源で音声出力を実現しているのである。
【０００４】
またこの情報支援システムでは、たとえば図１０に示したように、ユーザの位置を検出可能ならしめるべく、環境側に赤外光撮像を利用する位置検出装置（３００）をさらに配置して、ユーザ端末（１００）を、位置検出装置（３００）により発信された赤外光を反射させる再帰型反射部材等の反射手段（１０３）をさらに備えたものとし、位置検出装置（３００）を、赤外光の赤外線光源（３０１）と、ユーザ端末（１００）により反射されて戻されてきた赤外光を撮像する赤外線撮像手段（３０２）と、赤外線撮像手段（３０２）により撮像された赤外光像に基づいてユーザ端末（１００）の位置を検出する位置検出手段（３０３）とを備えたものとすることで、ユーザ側での音声情報の取得だけでなく環境側でのユーザ位置情報の取得をも同時にできるという、インタラクティブな情報支援をも実現している。
【０００５】
図１１は、以上の情報支援システムのより具体的な一例を示した概略図である。この例では、ユーザ端末（１００）は、光電変換手段（１０１）としての太陽電池（１０１ａ）と、音声出力手段（１０２）としてのイヤホン（１０２ａ）と、反射手段（１０３）としての再帰型反射シート（１０３ａ）を一体に備えたイヤホン型端末となっている。より具体的には、太陽電池（１０１ａ）を囲むように再帰型反射シート（１０３ａ）をほぼ同一面にて配置してなる板状の光送受部がイヤホン（１０２ａ）を有する耳装着部に取り付けられており、イヤホン（１０２ａ）がユーザの耳に装着された状態において太陽電池（１０１ａ）の光受光面および再帰型反射シート（１０３ａ）の光反射面がユーザの視線方向を向くように、それぞれが配置されて一体的に構成されている。端末内部には太陽電池（１０１ａ）の出力端子とイヤホン（１０２ａ）の入力端子とを結線する導線（図示なし）が内蔵されているだけで、イヤホン（１０２ａ）駆動用の電池等の電源は組み込まれていない。これは、前述したように太陽電池（１０１ａ）により得られた電気信号でそのままイヤホン（１０２ａ）を駆動し音声出力しているので、別途の専用電源を必要としないためである。このようなイヤホン型のユーザ端末（１００）によって、より優れた端末装着性を実現でき、端末使用者であるユーザはさらに手軽に環境側との情報支援を体験できるようになる。
【０００６】
他方、環境側の情報送信装置（２００）は、音声発信手段（２０１）として光信号の光源であるＬＥＤ（２０１ａ）と光信号を強度変調する変調回路（２０１ｂ）を備えている。変調回路（２０１ｂ）では、たとえば送信すべき音声情報の発生源である音声発生源（図示なし）が発生する音声信号の電圧レベルに応じてＬＥＤ（２０１ａ）の駆動電圧を変化させることにより、光信号の強度変調制御を行うことができる。ＬＥＤ（２０１ａ）は、十分な光量の光を発光可能なたとえば赤外線ＬＥＤを用いることができ、必要な送信距離に応じて送出する光量をより多くするためにアレイ状にして用いてもよい。また用途に応じて、ＬＥＤ（２０１ａ）の光が特定方向のみに対して発射されるよう指向性を持たせることが好ましく、そのためにたとえば放物反射面をもつ反射鏡の焦点位置にＬＥＤアレイを設けた態様を考慮できる。
【０００７】
また、位置検出装置（３００）は、赤外線光源（３０１）としての赤外線ＬＥＤ（３０１ａ）と赤外線撮像手段（３０２）としての赤外線カメラ（３０２ａ）とを一体に備えたものとなっており、その筐体内にあるいは外部別体として位置検出手段（３０３）としての位置検出器（３０３ａ）を備えている。ユーザ端末（１００）が備える再帰型反射シート（１０３ａ）は受光した光を入射方向と同方向に反射するものであるので、反射されて戻されてきた赤外光を的確に撮像するために赤外線カメラ（３０２ａ）を赤外線ＬＥＤ（３０１ａ）と近接配置させて一体構成としている。
【０００８】
そして、たとえば図１２に例示したように、イヤホン型のユーザ端末（１００）を耳に装着したユーザが、情報送信装置（２００）および位置検出装置（３００）が配置されている環境内に入り、それら環境側装置の方向を向くと、声や音楽、信号音などの様々な音声情報を聞くことができ、また自分の位置を環境側へ知らせることができる。図１２では美術館での一適用例を示しており各絵画についての音声案内情報を聞くことができる。
以上のとおり、この出願の発明の発明者等が既に提案している情報支援システムはユビキタス、インタラクティブという非常に優れた特性の情報支援を実現しているのである。
【０００９】
【非特許文献１】
西村拓一、外４名，「インタラクティブ情報支援のための無電源小型情報端末」，信学技報，社団法人電子情報通信学会，平成１４年１１月２２日，ｐ．１−６
【非特許文献２】
中村嘉志、外４名，「無電源小型通信端末ＣｏＢＩＴによる近距離情報支援の実現」，情報処理学会研究会報告，社団法人情報処理学会，平成１４年６月８日，２００２−ＩＣＩＩ−３，ｐ．１−７
【非特許文献３】
西村拓一、外３名，「無電源小型通信端末を用いた位置に基づく情報支援システム」，情報処理学会研究会報告，社団法人情報処理学会，平成１４年１月２８日，２００２−ＩＣＩＩ−２，ｐ．１−６
【特許文献１】
【００１０】
【発明が解決しようとする課題】
しかしながら、上記のとおりの情報支援システムでは、環境側にてユーザの位置情報を取得できるものの、ユーザ自身が自分の位置情報を取得できるようにはなっていない。
たとえば図１２の例では、美術館内のどの位置に自分がいるか、または美術館内のどの位置にある展示絵画についての音声情報を聞いているか、などの自分の位置を自分自身で確認することはできない。
そこで、この出願の発明は、以上のとおりの事情に鑑み、上記情報支援システムを改良し、光空間通信環境においてユーザ自身が自分の位置を把握できるようにした、新しい情報支援システムを提供することを課題としている。
【００１１】
【課題を解決するための手段】
この出願の発明は、上記の課題を解決するものとして、第１には、図１にその機能ブロック図を例示したような、インテリジェントユーザ端末（１）と環境側に設置される複数の情報送信装置（２）との間で光空間通信を行う情報支援システムであって、インテリジェントユーザ端末（１）は、情報送信装置（２）から発信された音声情報光を受光して電気信号に変換する音声用光電変換手段（１１）と、音声用光電変換手段（１１）により変換された電気信号を音声出力する音声出力手段（１２）と、情報送信装置（２）から発信されたＩＤ情報光を受光して電気信号に変換するＩＤ用光電変換手段（１３）と、ＩＤ用光電変換手段（１３）により変換された電気信号に基づいて各情報送信装置（２）固有のＩＤ情報を解析するＩＤ解析手段（１４）とを有し、情報送信装置（２）は、音声情報を基に強度変調した音声情報光を発信する音声発信手段（２１）と、各情報送信装置（２）固有のＩＤ情報を基に変調したＩＤ情報光を発信するＩＤ発信手段（２２）とを有している、ことを特徴とする情報支援システムを提供する。
【００１２】
これによれば、情報送信装置（２）を、音声情報のみならず各情報送信装置（２）固有の装置番号等のＩＤ情報を光送信するものとし、前述した既提案のユーザ端末（１００）をＩＤ用光電変換手段（１３）およびＩＤ情報解析手段（１４）により情報送信装置（２）からのＩＤ情報を光受信して解析できる機能を備えたインテリジェントユーザ端末（１）とすることで、端末ユーザは、得られた各情報送信装置（２）固有のＩＤ情報に基づいて、より具体的にはたとえば解析により得られた装置番号等のＩＤ情報が音声出力されたり手持ちのモニターに表示出力されたりすることで、環境側に設置された複数の情報送信装置（２）のうちのいずれからの音声情報を聞いているのかを知ることができ、よってその光空間通信環境における自分のおおよその位置を把握できるようになる。
【００１３】
たとえば博物館の各展示物毎に音声情報送信装置（２）を設置して各展示物の音声案内情報を光発信している環境において、上記インテリジェントユーザ端末（１）を携帯または装着したユーザがある音声案内情報を聴取している際に、インテリジェントユーザ端末（１）が自動的に音声情報送信装置（２）からのＩＤ情報を光受信して解析し、ユーザに対して音声出力や表示出力等により知られせることで、ユーザは博物館内のどの音声情報送信装置（２）からの音声情報つまりどの展示物についての音声情報を聞いているかを把握し、博物館内のおおよその自分の位置を確認できる。モニターへの表示出力の際には、館内マップなどを重畳表示するようにしてもよい。
【００１４】
また、この出願の発明は、第２には、図２にその機能ブロック図を例示したような、ノーマルユーザ端末（１ａ）およびインテリジェントユーザ端末（１ｂ）と環境側に設置される複数の情報送信装置（２）との間で光空間通信を行う情報支援システムであって、ノーマルユーザ端末（１ａ）は、情報送信装置（２）から発信された音声情報光を受光して電気信号に変換する音声用光電変換手段（１１）と、音声用光電変換手段（１１）により変換された電気信号を音声出力する音声出力手段（１２）とを有し、インテリジェントユーザ端末（１ｂ）は、情報送信装置（２）から発信された音声情報光を受光して電気信号に変換する音声用光電変換手段（１１）と、音声用光電変換手段（１１）により変換された電気信号を音声出力する音声出力手段（１２）と、情報送信装置（２）から発信されたＩＤ情報光を受光して電気信号に変換するＩＤ用光電変換手段（１３）と、ＩＤ用光電変換手段（１３）により変換された電気信号に基づいて各情報送信装置（２）固有のＩＤ情報を解析するＩＤ解析手段（１４）とを有し、情報送信装置（２）は、音声情報を基に強度変調した音声情報光を発信する音声発信手段（２１）と、各情報送信装置（２）固有のＩＤ情報を基に変調したＩＤ情報光を発信するＩＤ発信手段（２２）とを有している、ことを特徴とする情報支援システムを提供する。
【００１５】
これによれば、前述した既提案のユーザ端末（１００）（インテリジェントユーザ端末（１ｂ）との差別化のためにノーマルユーザ端末（１ａ）と呼ぶこととする）およびインテリジェントユーザ端末（１ｂ）の共存環境を実現できる。すなわち、ノーマルユーザ端末（１ａ）を持つユーザおよびインテリジェントユーザ端末（１ｂ）を持つユーザのいずれもがユビキタス情報環境を利用することができ、ノーマルユーザは音声情報を取得でき、インテリジェントユーザは音声情報および位置情報を取得できるのである。
【００１６】
そして、この出願の発明は、第３には、前記各情報送信装置（２）固有の前記ＩＤ情報は、前記各情報送信装置（２）に予め設定された装置番号であることを特徴とする情報支援システム、第４には、前記情報送信装置（２）の前記ＩＤ発信手段（２２）は、前記インテリジェントユーザ端末（１）（１ｂ）の前記音声出力手段（１２）が音声出力可能な帯域以外の帯域で前記ＩＤ情報光を発信することを特徴とする情報支援システムを提供する。
【００１７】
これらによれば、各情報送信装置（２）固有のＩＤ情報を装置番号とすることでその装置番号を持つ情報送信装置（２）の位置からユーザが自分のおおよその位置情報を容易に把握でき、また各情報送信装置（２）からのＩＤ情報の光発信をインテリジェントユーザ端末（１）（１ｂ）が音声出力可能な帯域以外の帯域にて行うことで、音声情報とＩＤ情報との混線を回避でき、より良好な音声情報支援および位置情報支援を実現できるのである。
【００１８】
またさらに、この出願の発明は、第５には、図３にその機能ブロック図を例示したような、インテリジェントユーザ端末（１）と環境側に設置される複数の情報送信装置（２）との間で光空間通信を行う情報支援システムであって、インテリジェントユーザ端末（１）は、情報送信装置（２）から発信された音声情報光を受光して電気信号に変換する音声用光電変換手段（１１）と、音声用光電変換手段（１１）により変換された電気信号を音声出力する音声出力手段（１２）と、音声用光電変換手段（１１）により変換された電気信号の周波数分布を解析する周波数分布解析手段（１５）と、周波数分布解析手段（１５）により得られた周波数分布と一致する周波数分布を有する情報送信装置（２）のＩＤ情報を、各情報送信装置（２）固有のＩＤ情報と各情報送信装置（２）固有の周波数分布とを対応付けて記憶したＩＤデータベースから検索するＩＤ情報検索手段（１６）とを有し、情報送信装置（２）は、音声情報を基に強度変調した音声情報光を発信する音声発信手段（２１）を有している、ことを特徴とする情報支援システムを提供する。
【００１９】
これによっても、上述と同様に、端末ユーザは、解析・検索して取得された各情報送信装置（２）固有のＩＤ情報に基づいて、環境側に設置された複数の情報送信装置（２）のうちのいずれからの音声情報を聞いているのかを知ることができ、よってその光空間通信環境における自分のおおよその位置を把握できるようになる。
【００２０】
またさらに、この出願の発明は、第６には、図４にその機能ブロック図を例示したような、ノーマルユーザ端末（１ａ）およびインテリジェントユーザ端末（１ｃ）と環境側に設置される複数の情報送信装置（２）との間で光空間通信を行う情報支援システムであって、ノーマルユーザ端末（１ａ）は、情報送信装置（２）から発信された音声情報光を受光して電気信号に変換する音声用光電変換手段（１１）と、音声用光電変換手段（１１）により変換された電気信号を音声出力する音声出力手段（１２）とを有し、インテリジェントユーザ端末（１ｃ）は、情報送信装置（２）から発信された音声情報光を受光して電気信号に変換する音声用光電変換手段（１１）と、音声用光電変換手段（１１）により変換された電気信号を音声出力する音声出力手段（１２）と、音声用光電変換手段（１１）により変換された電気信号の周波数分布を解析する周波数分布解析手段（１５）と、周波数分布解析手段（１５）により得られた周波数分布と一致する周波数分布を有する情報送信装置（２）のＩＤ情報を、各情報送信装置（２）固有のＩＤ情報と各情報送信装置（２）固有の周波数分布とを対応付けて記憶したＩＤデータベースから検索するＩＤ情報検索手段（１６）とを有し、情報送信装置（２）は、音声情報を基に強度変調した音声情報光を発信する音声発信手段（２１）を有している、ことを特徴とする情報支援システムを提供する。
これによっても、上述と同様に、ノーマルユーザ端末（１ａ）およびインテリジェントユーザ端末（１ｃ）の共存環境を実現できる。
【００２１】
そして、この出願の発明は、第７には、図５にその機能ブロック図を例示したような、前記インテリジェントユーザ端末（１）（１ｃ）は、各情報送信装置（２）固有のＩＤ情報と各情報送信装置（２）固有の周波数分布とを対応付けて記憶した前記ＩＤデータベースを環境側から受信するＩＤデータベース受信手段（１７）と、受信した前記ＩＤデータベースを記憶するＩＤデータベース記憶手段（１８）とをさらに有していることを特徴とする情報支援システムを提供する。
これによれば、最新のＩＤデータベースを随時取得することができ、正確なＩＤ情報検索を実現することができる。
【００２２】
【発明の実施の形態】
［第１の実施形態］
図６は、この出願の発明の一実施形態の機能ブロックを示したものである。
本実施形態では、インテリジェントユーザ端末（１）を、音声用光電変換手段（１１）として音声用太陽電池（１１１）、音声出力手段（１２）としてイヤホン（１２１）、ＩＤ用光電変換手段（１３）としてＩＤ用太陽電池（１３１）、ＩＤ情報解析手段（１４）としてＩＤ情報解析回路（１４１）を備えたものとし、情報送信装置（２）を、音声発信手段（２１）として音声情報光の光源である音声用ＬＥＤ（２１１）および音声情報を基に音声情報光の強度変調を行う音声用変調回路（２１２）を備え、ＩＤ発信手段（２２）としてＩＤ情報光の光源であるＩＤ用ＬＥＤ（２２１）および当該情報送信装置（２）固有のＩＤ情報を記憶したＩＤメモリ（２２２）およびＩＤメモリ（２２２）内のＩＤ情報を基にＩＤ用ＬＥＤ（２２１）によるＩＤ情報光を変調するＩＤ用変調回路（２２２）を備えたものとしている。
【００２３】
この場合において、ユーザはインテリジェントユーザ端末（１）を携帯または装着し、複数の情報送信装置（２）が配設されている光空間通信環境内に入ると、各情報送信装置（２）からの音声情報を音声用太陽電池（１１１）により光受信してイヤホン（１２１）から聞くことができると同時に、情報送信装置（２）からの装置番号等のＩＤ情報をＩＤ用太陽電池（１３１）により光受信してＩＤ情報解析回路（１４１）により解析し、イヤホン（１２１）で聞いたりインテリジェントユーザ端末（１）付属のモニター（１９）で見たりすることができる。たとえばＩＤ情報が装置番号の場合、装置番号を聞くことで、あるいは装置番号を重畳表示したマップを見ることで、どの情報送信装置（２）からの音声情報を聞いているのかを知り、自分のおおよその位置を容易に把握することができる。
ここで、ＩＤ情報の送受、解析についてさらに説明すると、情報送信装置（２）からＩＤ情報を光送信する際、音声情報光との混線を回避すべく、イヤホン（１２１）が音声出力可能な帯域とは異なる帯域にてＩＤ情報光を発信することが好ましい。より具体的には、たとえば、イヤホン（１２１）の音声出力帯域が１００Ｈｚ〜１０ｋＨｚである場合、１００Ｈｚより低周波数帯域あるいは１０ｋＨｚより高周波数帯域でＩＤ情報光を発信する。また、人間が聞こえる帯域とされる２０Ｈｚ〜２０ｋＨｚ以外の帯域を用いてもよい。
【００２４】
このように帯域制限をしたＩＤ情報光発信の場合、ＩＤ情報解析回路（１４１）は、たとえば図７に例示したように、ＩＤ用太陽電池（１３１）により得られた電気信号のうちでＩＤ情報光の電気信号のみを取り出すために、音声帯域をカットしそれ以外の帯域のみを通すバンドパスフィルタ等の音声帯域カット回路（１４１ａ）を備えるものとし、これを通った電気信号に基づいてＩＤ情報を解析する。このＩＤ情報の解析は、たとえば、音声帯域カット回路（１４１ａ）を通った電気信号を２値化する２値化回路（１４１ｂ）と、得られた２値ビット列に基づいて情報送信装置（２）のＩＤ情報を解析するビット列解析回路（１４１ｃ）とにより行うことができる。図７では、情報送信装置（２）からＩＤ情報をＡＭ変調およびＦＭ変調して光発信した場合にＩＤ用太陽電池（１３１）からの電気信号を音声帯域カット回路（１４１ａ）により帯域制限して得られるＡＭ変調波およびＦＭ変調波を示しており、それぞれ図示したように２値化回路（１４１ｂ）により２値化される。ビット列解析回路（１４１ｃ）は、各ビット列に予め対応付けられた装置番号を判別する。
【００２５】
なお、図６では、ＩＤ用太陽電池（１３１）と音声用太陽電池（１１１）とを別体として図示したが、一つの太陽電池を共用する態様も可能であり、太陽電池からの電気信号をイヤホン（１２１）およびＩＤ情報解析回路（１４１）の両方に導く回路構成とすればよい。
【００２６】
［第２の実施形態］
図８は、この出願の発明の別の一実施形態の機能ブロックを示したものである。
本実施形態では、インテリジェントユーザ端末（１）によるＩＤ情報解析を、情報送信装置（２）からの音声情報光を音声用太陽電池（１１１）により光電変換して得られた電気信号の周波数分布に基づいて行う構成としている。
より具体的には、情報送信装置（２）は、上記第１の実施形態のような別途のＩＤ情報光を発信する必要がないので、音声情報光発信のみのために音声用ＬＥＤ（２１１）と音声用変調回路（２１２）を備えている。
【００２７】
インテリジェントユーザ端末（１）は、音声用太陽電池（１１１）およびイヤホン（１２１）の他に、光電変換により得られた電気信号をＦＦＴやノイズ除去等を施して特徴抽出に適した波形に整形する波形整形回路（１５１）と得られた波形の周波数特徴を抽出する特徴抽出回路（１５２）とを周波数分布解析手段（１５）（図３〜５参照）として備え、またさらに、抽出された周波数特徴と一致する周波数特徴を有する情報送信装置（２）のＩＤ情報をＩＤデータベースから検索するＩＤ情報検索回路（１６１）をＩＤ情報検索手段（１６）（図３〜５参照）として備えている。ＩＤデータベースは、各情報送信装置（２）固有のＩＤ情報と周波数分布とを対応付けて記憶したものであり、インテリジェントユーザ端末（１）はそれを記憶しておくＩＤデータベースメモリ（１８１）をＩＤデータベース記憶手段（１８）（図５参照）として備えてもいる。
【００２８】
また、各情報送信装置（２）が発信する音声情報光の周波数分布は常に変化するので、情報送信装置（２）には、変化のたびにＩＤデータベースの書換えを行うＩＤデータベース書換え手段（２３）（図５参照）としてのＩＤデータベース書換え回路（２３１）、ＩＤデータベースを記憶するＩＤデータベース記憶手段（２４）（図５参照）としてのＩＤデータベースメモリ（２４１）、および書き換えられたＩＤデータベースをインテリジェントユーザ端末（１）に向けて発信するＩＤデータベース発信手段（２５）（図５参照）としてのＩＤデータベース発信回路（２５１）を具備させる。インテリジェントユーザ端末（１）には、ＩＤデータベース発信回路（２５１）からのＩＤデータベースを受信するＩＤデータベース受信手段（１７）（図５参照）としてのＩＤデータベース受信回路（１７１）をさらに具備させる。
【００２９】
これにより、随時変化する音声情報光の周波数分布に的確に対応したＩＤデータベースをインテリジェントユーザ端末（１）に常に記憶させておくことができ、抽出した周波数分布の特徴に対応するＩＤ情報を最新のＩＤデータベースから検索して、いずれの情報送信装置（２）のものかを正確に把握することができ、したがって、ユーザが今まさに聞いている音声情報の発信源である情報送信装置（２）の位置から光空間通信環境における自分のおおよその位置を常に正確に把握できるようになる。
もちろん、この出願の発明は以上の実施形態に限定されるものではなく、細部については様々な態様が可能である。
【００３０】
【発明の効果】
以上詳しく説明したとおり、この出願の発明によって、光空間通信環境において、端末ユーザが、環境側からの音声情報を取得できるだけでなく、自分の位置を把握することのできる、新しい情報支援システムが提供される。
【図面の簡単な説明】
【図１】この出願の発明を説明するための機能ブロック図である。
【図２】この出願の発明を説明するための機能ブロック図である。
【図３】この出願の発明を説明するための機能ブロック図である。
【図４】この出願の発明を説明するための機能ブロック図である。
【図５】この出願の発明を説明するための機能ブロック図である。
【図６】この出願の発明の一実施形態を示した機能ブロック図である。
【図７】この出願の発明の一実施形態を示した機能ブロック図である。
【図８】この出願の発明の別の一実施形態を示した機能ブロック図である。
【図９】この出願の発明の従来の情報支援システムを説明するための機能ブロック図である。
【図１０】従来の情報支援システムを説明するための別の機能ブロック図である。
【図１１】従来の情報支援システムの一具体例を示した概略図である。
【図１２】従来の情報支援システムの一使用例を示した概略図である。
【符号の説明】
１  インテリジェントユーザ端末
１ａ  ノーマルユーザ端末
１ｂ  インテリジェントユーザ端末
１１  音声用光電変換手段
１１１  音声用太陽電池
１２  音声出力手段
１２１  イヤホン
１３  ＩＤ用光電変換手段
１３１  ＩＤ用太陽電池
１４  ＩＤ情報解析手段
１４１  ＩＤ情報解析回路
１４１ａ  音声帯域カット回路
１４１ｂ  ２値化回路
１４１ｃ  ビット列解析回路
１５  周波数分布解析手段
１５１  波形整形回路
１５２  特徴抽出回路
１６  ＩＤ情報検索手段
１６１  ＩＤ情報検索回路
１７  ＩＤデータベース受信手段
１７１  ＩＤデータベース受信回路
１８  ＩＤデータベース記憶手段
１８１  ＩＤデータベースメモリ
１９  モニター
２  情報送信装置
２１  音声発信手段
２１１  音声用ＬＥＤ
２１２  音声用変調回路
２２  ＩＤ発信手段
２２１  ＩＤ用ＬＥＤ
２２２  ＩＤメモリ
２２３  ＩＤ用変調回路
２３  ＩＤデータベース書換え手段
２３１  ＩＤデータベース書換え回路
２４  ＩＤデータベース記憶手段
２４１  ＩＤデータベースメモリ
２５  ＩＤデータベース発信手段
２５１  ＩＤデータベース発信回路
１００  ユーザ端末
１０１  光電変換手段
１０１ａ  太陽電池
１０２  音声出力手段
１０２ａ  イヤホン
１０３  反射手段
１０３ａ  再帰型反射シート
２００  情報送信装置
２０１  音声発信手段
２０１ａ  ＬＥＤ
２０１ａ  変調回路
３００  位置検出装置
３０１  赤外線光源
３０１ａ  赤外線ＬＥＤ
３０２  赤外線撮像手段
３０２ａ  赤外線カメラ
３０３  位置検出手段
３０３ａ  位置検出器
【図１】
2004221946.tif 000003
【図２】
2004221946.tif 000004
【図３】
2004221946.tif 000005
【図４】
2004221946.tif 000006
【図５】
2004221946.tif 000007
【図６】
2004221946.tif 000008
【図７】
2004221946.tif 000009
【図８】
2004221946.tif 000010
【図９】
2004221946.tif 000011
【図１０】
2004221946.tif 000012
【図１１】
2004221946.tif 000013
【図１２】
2004221946.tif 000014